(57)【特許請求の範囲】
【請求項１】
搬入される有機質汚泥に対して所定割合で微生物を着床させた粉体を混合させて所要粒径に破砕する破砕混合部と、
破砕混合後の有機質汚泥を切り返し処理を行ないつつ貯留して養生する一次貯留部と、
一次貯留部での処理後の有機質汚泥を収容し空気を供給しつつ有機質汚泥を発酵処理する発酵処理部と、を有し、
発酵処理部は、併設された複数の密閉室装置を含み、
該密閉室装置は、有機質汚泥が投入静置される密閉室と、
密閉室内に投入された有機質汚泥中に加温空気を注入する加温空気注入管と、
有機質汚泥が微生物発酵して発生する蒸気を含む空気を吸引排出する吸引排出部と、
吸引された気体を脱臭させる脱臭部と、を有し、
１つの敷地内に破砕混合部と一次貯留部とが前処理部として中央搬送空間を中間に配した対向位置に配置されるとともに、発酵処理部の複数の密閉処理室が破砕混合部と一次貯留部にそれぞれ隣接並置され、かつ、中央搬送空間を中間に配した対向位置に配置され、
密閉室は、それぞれ有機質汚泥の搬入日量の少なくとも２倍以上の容積で８個以上が配置されていることを特徴とする有機質汚泥の処理施設。
【請求項２】
密閉室内に投入された有機質汚泥中への加温空気温度は、２５度〜３５度であることを特徴とする請求項１記載の有機質汚泥の処理施設。
【発明の詳細な説明】
【技術分野】
【０００１】
本発明は、有機質汚泥の処理システム及び有機質汚泥の処理施設に係り、特に、大量に持ち込まれる有機質汚泥の処理を行う有機質汚泥の処理施設に関する。
【背景技術】
【０００２】
近時の経済、社会生活の高度化は、大量消費と大量投棄を生み出し、それによって環境汚染を生じさせて社会問題となっている。大量投棄により排出される廃棄物には、事業所からのごみ、生産業者が排出する廃棄物、畜産糞尿、食品汚泥、家庭から排出される生ごみ、下水道汚泥等がある。これらのうちで、一般産業廃棄物中での大きな割合を占める食品汚泥については、近時の法改正によりそれらの製造、加工の過程において生じたものは肥料等の原材料として再利用することが数値目標を掲げての国民の使命として位置づけられている。すなわち、処理に要する手間や時間、コストを考えると有機質汚泥（食品製造会社が排出する有機ごみ、外食事業者が排出する生ごみ、畜産糞尿、家庭から排出される生活ごみ、その他の食品汚泥を含む）の処理が重要でかつ早急に実現されなければならない問題である。有機汚泥の処理方法については、文献１、２のように従来から種々の提案がなされている。
【０００３】
【特許文献１】特開２００２−３５７９５号
【特許文献２】特開２００５−７４３２８号
【発明の開示】
【発明が解決しようとする課題】
【０００４】
上記の特許文献１の有機汚泥の処理装置は、処理槽内の脱水室に濾布を張設し、その上方を汚泥脱水処理室、下方を脱水濾液室とし、脱水処理室に送気するとともに濾液室を複数の空気室に区画し、各圧力空気室に高圧送気と濾液排出を行わせることにより濾布を逆洗浄してその目詰まりを防止させるようにしたものである。また、特許文献２では、アンモニアを含む有機汚泥を脱水した脱水ケーキが乾燥される乾燥機から発生する高温の乾燥排ガスを、有機汚泥から分離された分離液のアンモニアストリッピングを行う蒸留塔でのキャリアガスとして用いることにより、乾燥排ガスの凝縮手段とその凝縮液の水処理を不要にして、処理設備をコンパクトにしたものである。しかしながら、これらの従来の技術は、いずれもせいぜい事業者単独の施設内での有機廃棄物の処理についてのものであり、いずれも、種々のしかも大量の有機質汚泥を受け入れて毎日処理し、肥料化するものではなく、例えば２０ｔ程度の日々大量に発生する有機質汚泥処理には対応できないものであった。また、設備コスト、稼働コストが高価となり現実には大量処理設備の実用化についての難点があった。
【０００５】
本発明は、上記従来の課題に鑑みてなされたものであり、その１つの目的は、簡単な構成で日々大量に発生する有機質系廃棄物を確実に処理し、しかも効率よく短期間に処理し、かつ、これを肥料化することのできる有機質汚泥の処理方法及び有機質汚泥の処理施設を提供することにある。
【課題を解決するための手段】
【０００６】
上記の目的を達成するために、本発明は、搬入される有機質汚泥に対して所定割合で微生物を着床させた粉体を混合させて所要粒径に破砕する破砕混合部１２と、破砕混合後の有機質汚泥を切り返し処理を行ないつつ貯留して養生する一次貯留部１４と、一次貯留部１４での処理後の有機質汚泥を収容し空気を供給しつつ有機質汚泥を発酵処理する発酵処理部１６と、を有し、発酵処理部１６は、併設された複数の密閉室装置１８を含み、該密閉室装置１８は、有機質汚泥が投入静置される密閉室１８１〜１８８と、密閉室内に投入された有機質汚泥中に加温空気を注入する加温空気注入管３２と、有機質汚泥が微生物発酵して発生する蒸気を含む空気を吸引排出する吸引排出部３４と、吸引された気体を脱臭させる脱臭部３６と、を有し、１つの敷地内に破砕混合部１２と一次貯留部１４とが前処理部として中央搬送空間２２を中間に配した対向位置に配置されるとともに、発酵処理部１６の複数の密閉処理室が破砕混合部１２と一次貯留部１４にそれぞれ隣接並置され、かつ、中央搬送空間２２を中間に配した対向位置に配置され、密閉室１８１〜１８８は、それぞれ有機質汚泥の搬入日量の少なくとも２倍以上の容積で８個以上が配置されていることを特徴とする有機質汚泥の処理施設から構成される。
【０００７】
その際、密閉室１８１〜１９０内に投入された有機質汚泥中への加温空気温度は、２５度〜３５度であるとよい。
【発明の効果】
【０００８】
本発明の有機質汚泥の処理施設によれば、搬入される有機質汚泥を破砕しつつ微生物を着床させた粉体を混合させる破砕混合部と、破砕混合後の有機質汚泥を貯留して養生する一次貯留部と、空気を供給された有機質汚泥を発酵処理する発酵処理部と、を有し、発酵処理部は、併設された複数の密閉室装置を含み、該密閉室装置は、有機質汚泥が投入静置される密閉室と、密閉室内に投入された有機質汚泥中に加温空気を注入する加温空気注入管と、有機質汚泥が微生物発酵して発生する蒸気を含む空気を吸引排出する吸引排出部と、吸引された気体を脱臭させる脱臭部と、を有し、各密閉室は、有機質汚泥の搬入日量の少なくとも２倍以上の容積であり、破砕混合、一次貯留を含む４日以内の前処理と、２週間の密閉室発酵と、を複数の密閉室について順次、連続して行うことにより、投入日量に対応する有機質汚泥を毎日処理するから、簡単な構成で日々大量に発生する有機質系廃棄物を確実に処理し、しかも効率よく短期間に処理し、かつ、これを肥料化することができる。
【０００９】
また、密閉室内に投入された有機質汚泥中への加温空気温度は、２５度〜３５度とすることにより、好気性微生物による処理対象の有機質汚泥の好気性発酵を促し、良好な条件により短時間での発酵作用を行わせることができる。
【００１０】
また、本発明の有機質汚泥の処理方法によれば、有機質汚泥を破砕しつつ微生物を着床させた粉体を混合させる工程と、混合後の有機質汚泥を貯留して切り返し操作で空気を供給する工程と、空気を供給された有機質汚泥を密閉室内に投入静置し加温空気を室内の底部から連続して吹出して有機質汚泥中に注入する工程と、密閉室内の有機質汚泥が微生物発酵し発熱により室内空気部に蒸散させる工程と、室内空気部への蒸散とともに密閉室内の気体を吸引して換気させる工程と、吸引された気体を脱臭させる工程と、を含み、該密閉室を複数併設して、順次作業により、２４時間以内で処理投入量と少なくとも同量相当の有機質汚泥発酵処理を行う構成であるから、簡単な構成で日々大量に発生する有機質系廃棄物を確実に処理し、しかも効率よく短期間に処理し、かつ、これを肥料化することを実現することが可能である。
【００１１】
さらに、密閉室内の有機質汚泥中への加温空気温度が２５度〜３５度であり、微生物発酵は、有機質汚泥内部温度が６０℃程度に上昇する一次発酵工程と、その後さらに発酵を促進して８５℃程度となる二次発酵工程と、を含むことにより、好気性微生物による処理対象の有機質汚泥の好気性発酵を促し、良好な条件により短時間での発酵作用を行わせることができる。
【発明を実施するための最良の形態】
【００１２】
以下、添付図面を参照しつつ本発明を実施するための最良の形態について説明する。本発明の有機質汚泥の処理システム及び有機質汚泥の処理方法は、下水道汚泥、生活生ごみ、家畜糞尿、食品残渣物その他の有機質汚泥の処理手段を提供し、特に、日々排出される大量の有機質廃棄物を簡単な設備で、かつ、比較的に小さなスペースでの設置により、短期間で確実に処理できる有機質汚泥の処理システム及びその方法を提供する。本システム及び方法は、食品生産工場、一般事業所、家庭等から排出される有機質廃棄物、畜産肥育場等から排出される家畜糞尿、その他の有機廃棄物をも対象として処理する。
【００１３】
図１ないし図３は、本発明の実施形態に係る有機質汚泥の処理システム及びそれを実現する装置あるいは設備を示しており、図１において、該有機質汚泥の処理システムは、有機質汚泥を破砕しつつ微生物を着床させた粉体を混合させる破砕混合部１２と、破砕混合後の有機質汚泥を貯留して養生する一次貯留部１４と、空気を供給された有機質汚泥を発酵処理する発酵処理部１６と、を有し、発酵処理部は、併設された複数の密閉室装置１８を含む。
【００１４】
図１の実施形態では、短壁２０１、長壁２０２がそれぞれ対向設置されて長四角形状の敷地に長四角形状の外壁が立設され、壁の上端に屋根２０３が架設されて処理施設２０が形成されている。処理施設２０の床部の幅方向中央部には、片端から他方端にわたって横方向に搬送レーン２２が設けられ、左右の短壁２０１には開閉扉２０１ａ，２０１ｂが設けられ、さらに左短壁２０１に隣接する長辺壁の一部に出入り口２０２ａが形成されている。
【００１５】
処理施設２０内部は、図１上、左奥から右側に順にストックヤード２４、破砕混合部１２及び発酵処理部１６ａがそれぞれ仕切壁Ｗ１、Ｗ２に仕切られて配置され、処理施設２０内部手前側は、破砕混合部１２に対向し搬送レーン２２を間に挟んで仕切壁Ｗ３、Ｗ４で仕切られて一次貯留部１４が設けられ、さらに、その右側に発酵処理部１６ｂが配置されている。さらに、発酵処理部１６ａ、１６ｂに隣接して袋詰め処理部２６が設けられている。
【００１６】
ストックヤードに搬入される汚泥は、一般に含水率８０％程度である。破砕混合部１２は、外部から搬入されてストックヤード２４に貯留されている有機質汚泥を破砕しつつ微生物を着床させた粉体を混合させる部位であり、例えばバトルミキサ２８からなる混合破砕機が設置されて、そのホッパから、処理すべき有機質汚泥とともに微生物を着床させたパウダを投入し、塊状に固着した汚泥を破砕するとともに、微生物パウダを有機質汚泥に混合させる。混合破砕機を通した微生物を含む汚泥は、例えば５ｍｍ粒径程度に粒径が調整される。微生物パウダは、例えばゼオライト、バーミキュライト、オガ粉等を加熱殺菌したものに、バクテリアを培養して得た一次菌体を着床させた液を霧散布して微生物を含むパウダとしたものであり、この微生物パウダを例えば汚泥１０に対して重量比１：１０程度の割合で投入させ、混合攪拌させる。微生物を含むパウダは、ある程度の湿度を有して調製される。着床される微生物としては、例えばストレプトコッカス、サッカロマイセス、バチルスサブタイル、コリネバクテリウム等がある。
【００１７】
一次貯留部１４は、破砕混合後の有機質汚泥を貯留して養生する一次貯留手段であり、例えば、上面が開口し、長四角形状に壁で仕切られた内部に破砕混合後の有機質汚泥を投入し、攪拌羽根その他の切り返し装置を用いて汚泥が腐敗しないように切り返し操作で汚泥中に空気を供給する空気の供給装置を備えている。一次貯留部１４で一次貯留し次工程の発酵処理部１６に処理対処汚泥を搬入させるまでに待機させるとともに、発酵しやすい状態に混合攪拌後の汚泥を安定させ、養生させる。破砕混合部１２、一次貯留部１４は、発酵処理前の前処理工程を行いつつ、密閉室１８１〜１８８への所要量投入時期を待機する前処理部あるいは前処理工程を構成する。
【００１８】
図１において、発酵処理部１６は、同じ処理施設２０内に配置された複数の密閉室装置１８を含む。すなわち、破砕混合部１２に壁を挟んでつぎつぎに連続隣接するように第１の密閉室群Ｃｍ１が設置されるとともに、搬送レーン２２を間に挟んで該密閉室群Ｃｍ１に対向して連続隣接する第２密閉室群Ｃｍ２が設置されている。第１密閉室群Ｃｍ１は、壁Ｗ５〜Ｗ７を挟んで隣り合うように隣接する４個の密閉室１８１〜１８４を有すると共に、第２密閉室群Ｃｍ２も同様の併設構成で壁Ｗ８〜Ｗ１０を挟んで隣り合うように隣接する４個の密閉室１８５〜１８８を有している。それぞれの密閉室１８１〜１８８は、搬送レーン２２側に開閉ドア３０を有し、背面壁Ｗｂと、外壁Ｗｔ、並びに天井壁Ｗｃにより、仕切られてある程度の気密を保持した状態に閉鎖されている。
【００１９】
密閉室１８１〜１８８は、有機汚泥を投入して静置し、微生物発酵させる密閉閉鎖式の発酵槽であり、実施形態において、該密閉室は、それぞれ大容量の空間を有している。すなわち、各密閉室は、有機質汚泥の搬入日量の少なくとも２倍以上の容積を有して構成されている。例えば、ストックヤード２４に搬入される日量が２０トンとすると、各密閉室は、例えば８５トンあるいはそれ以上の汚泥を収容可能な大きさで構成されている。そして、密閉室へ投入する例えば８０トンの処理対象汚泥が前処理工程としての一次貯留部１４に４日以内程度で貯留され、各密閉室内へは貯留された例えば８０トンの汚泥が一度に各密閉室に投入される。すなわち、日々搬入される汚泥を各密閉室容量以内の所要量まで蓄積し、この間腐敗をしないように管理して所要量の蓄積完了後にいっぺんに１つの密閉室に汚泥を投入し、各密閉室についてこれを順次行っていくものである。これによって、密閉室内での有機質汚泥の発酵管理を簡単に行えると共に、処理を確実に行える。
【００２０】
図１ないし図３において、密閉室装置１８は、さらに加温空気注入管３２と、吸引排出部３４と、脱臭部３６と、を備えている。加温空気注入管３２は、図２、３に示すように、例えばコンクリート製床に複数条（例えば３個）の並列溝３８を凹設し、それぞれの溝内に埋め込み状に配設されており、外周に多数の空気噴出孔４０を形成した金属管から構成されている。空気噴出孔４０からは常温程度、例えば２５℃〜３５℃程度の加温空気が外部に向けて放散される。したがって、密閉室内に処理すべき有機質汚泥を投入して加温空気を噴出させるから該加温空気は直接に有機質汚泥中に注入される。このとき、加温空気の有機質汚泥中への空気は、密閉室内の有機質汚泥の嵩高さの７０％〜９０％程度の到達距離となる噴射圧により加温空気が注入管３２から噴射される。これによって、微生物発酵による自然な温度上昇が汚泥中水分を蒸発させ、密閉室内の残余空気部４２に放出される。
【００２１】
図１、２に示すように、密閉室１８１〜１８８の背面側に機械室４４が設置されており、該機械室４４内に各密閉室に対応してブロワ４６及びヒータ４８を含む加温空気注入駆動装置４９が設置され、ヒータ４８は対応する密閉室の加温空気注入管３２と配管５０を介して連通接続されている。それぞれのブロワ４６及びヒータ４８は、図示しない制御装置に電気的に接続されており、温度センサ５６により検出した室内温度と設定室内温度との差が設定範囲となるようにそれぞれの装置をオン、オフさせ、風量調節、温度調節機能を行って、適当な吹出し風量と設定温度に密閉室内温度が調節される。なお、これらの調節は、作業者が手動により行うようにしてもよく、摘み等の調節操作により、加温空気注入管３２からの所望の吹出し風量と温度調節により例えば２５℃〜３５℃で、上記の設定された噴出量あるいは速度で加温空気が加温空気注入管３２から汚泥内部に注入させてもよい。
【００２２】
吸引排出部３４は、有機質汚泥が微生物発酵して発生する蒸気を含む空気を密閉室内から吸引排出する吸引排出手段であり、本実施形態において、各密閉室の背面壁Ｗｂに取付けられた吸引ファン５２を含む。さらに、この吸引ファン５２に連通して脱臭部３６としての脱臭装置が密閉室外部に設けられており、吸引ファンを駆動して吸引排出された密閉室内の高温空気が脱臭装置に送られ、脱臭後の空気は水ジャケット等を配備させた冷却装置で中温程度の温度に冷却されて、ブロワ４６に通じる配管により外部からの新鮮空気と共にブロワ側に供給されて加温空気注入管３２から再び噴出されて還流するか、あるいは外気放出、その他の適宜の方法で処理される。脱臭装置は、木炭、竹炭、ゼオライト、オガ粉等を複数の層に層分けして充填したタンク内に密閉室の有機質汚泥から発生する蒸気を含む空気を通すことにより、臭気を取りだす。
【００２３】
そして、該密閉室装置１８のそれぞれの密閉室に前処理が完了する４日以内、すなわち、本実施形態では４日連続で破砕混合工程と一次貯留工程を使用し、その後、１４日連続で密閉室１８１〜１８８内での発酵処理を行う。有機質汚泥の各密閉室内への搬入後に、密閉室内に投入された有機質汚泥中への加温空気の注入を開始し、これをすべての密閉室について順次、連続して行うことにより、例えば日々搬入される日量２０トン程度の大量の有機質汚泥を確実に処理することができる。その結果、毎日２０トン程度の有機質汚泥を処理設備内に搬送させて保持させることができ、かつ、これら２０トンの汚泥を毎日確実に堆肥化処理することができる。
【００２４】
本実施形態では、この処理は、８個の密閉室装置により行うようにしているが、各密閉室は、有機質汚泥のストックヤードへの搬入日量の少なくとも２倍以上の容積であり、破砕混合、一次貯留を含む４日以内の前処理と、２週間の密閉室発酵と、を複数の密閉室について順次、連続して行うことにより、搬入日量に対応する有機質汚泥を毎日処理するものである。前処理の４日は、破砕混合処理及び水分調整時間を確保するための前処理時間として適当な時間であるが、この日数よりも１，２日多い期間であってもよい。２週間程度の密閉室発酵は、２，３日のずれを生じても良い。なお、図１中、５６は、密閉室内の温度センサであり、５８は破砕混合工程、一次貯留工程等で出る汚泥中の水分を排水桝へ導く樋、６０は排水桝である。
【００２５】
次に、図４をも参照し、本実施形態の有機質汚泥の処理システムの作用について、同有機質汚泥の処理方法とともに説明する。有機質下水汚泥ＲＭ１、牛糞ＲＭ２、有機質食品工業汚泥ＲＭ３、食品残渣ＲＭ４がそれぞれ図１の処理施設２０のストックヤード２４に搬入される（Ｓ１）。日々搬入される有機質汚泥の種類は、不定であり、日々ストックヤードへ搬入される汚泥の種類の配合構成も特定は困難である。例えば上記の汚泥中の１種類のみもあるし、４種類すべてが混入する場合もある。また、２種類のみ、あるいは３種類のみの場合もある。これらは、たとえば有機質下水汚泥ＲＭ１が８０％程度、牛糞ＲＭ２が５５％程度、有機質食品工業汚泥ＲＭ３が８３％程度、食品残渣ＲＭ４が２４％程度の含水率であり、一般に搬入後の有機質汚泥は含水率８０〜９０％である。それぞれの汚泥は、金属、プラスチック片その他の非有機質物質は予めフィルタ処理等により除去されて例えば３０トンの有機質系物質のみがストックヤードに搬入される。
【００２６】
ストックヤードに搬入された処理対象の有機質汚泥は、例えばタイヤショベルにより隣の破砕混合部１２に搬送され、そこに設置されている混合破砕機に微生物パウダとともに投入されて混合、攪拌される（Ｓ２）。この際、例えば、微生物パウダを例えば汚泥１０に対して重量比１：１０程度の割合で投入させ、混合攪拌させる。
【００２７】
混合、攪拌後に例えば粒径５ｍｍ程度の粒子状の汚泥が形成され、これを更にタイヤショベル等の搬送手段により、搬送レーン２２を挟んだ対向位置の一次貯留部１４に移送される。一次貯留部では、例えば１時間に数回程度の割合で切り返し装置が一次貯留部の槽体内を往復作動し（Ｓ３）、そこに投入した有機質汚泥への酸素供給による腐敗を防止するとともに、発酵しやすい条件を整えるための養生を行う。これで前処理工程が行われる。この破砕混合及び一次貯留工程を含む前処理工程は、例えば４日間で行われる。
【００２８】
次に、一次貯留部１４に約８０トンの汚泥が蓄積され、５日目に発酵処理部１６の例えば８５トンの容量の密閉室に８０トンの汚泥を一度に投入する。そして、この処理を各密閉室１８１〜１８８について、順次行う。各密閉室への汚泥の投入時に同時に、加温空気注入駆動装置４９を駆動させて２５℃〜３５℃程度の加温空気を処理対象汚泥中に注入する。注入後、約７日後程度の時期に一次発酵（Ｓ４）により有機質汚泥は好気性発酵し、汚泥中温度は約６５℃程度に上昇する。さらに、その後７日目程度で二次発酵（Ｓ５）を生じ、汚泥中温度は、約８０〜８５℃に達する。この間、加温空気注入管３２からは上記の常温程度の温風が吹出され、さらに、吸引排出部３４及び脱臭部３６を介して密閉室内の残余空気部４２から発酵による蒸気を含む空気が吸引排出される一方、吸引空気を脱臭して外部等へ排気される。吸引排出部３４の吸引ファン５２はセンサ５６による残余空気部４２の検出温度に連動して作動するように制御装置を介して制御されており、常に最適の設定発酵条件を保持するようになっている。
【００２９】
そして、各密閉室は、有機質汚泥の搬入日量の少なくとも２倍以上の容積であり、破砕混合、一次貯留を含む４日以内の前処理と、２週間程度の密閉室発酵と、を複数の密閉室について順次、連続して行うことにより、搬入日量に対応する有機質汚泥を毎日処理することができる。また、有機質汚泥中への加温空気の注入を開始し、これをすべての密閉室について順次、連続して行うことにより、２４時間以内で処理投入量と少なくとも同量相当の肥料原料を製造する（Ｓ６）ことができる。汚泥の発酵完了時には、堆肥化汚泥の体積は約３分の１の２０ｔ程度に減容する。そして、第１の密閉室１８１からすべての完成後の堆肥化汚泥を排出し、袋詰め処理部２６の作業スペースに搬送されて袋詰めされ（Ｓ７）、製品出荷可能状態とされる（Ｓ８）。このとき、例えば含水率が２０％〜３０％程度に調整されている。
【００３０】
図５は、これらの処理工程表であり、第１室から第８室についてそれぞれ４日の前処理と、１４日の発酵処理を行って計８０トンの汚泥が処理される。図において、４日間の前処理後、８０トンの汚泥を密閉室１８１〜１８８に充填し、同時に加温空気３２注入駆動を開始させた後、約２週間で発酵完了し、コンポストを得る。第１室は５日から１８日が発酵使用され、第２室は、９日から２２日、第３室は、１３日から２６日、以下同様に４日の前処理と１４日の発酵処理のローテーションが繰り返されて、８室すべてが使用され、その間、日々２０トンの汚泥が処理される。さらに、作業スペースで、３日程度の間隔で袋詰め製品化された１０トンの堆肥化製品が完成していく。
【００３１】
以下、順次、これを繰り返すことにより、敷地内に隣接した密閉スペースを作るだけの極めて簡単な設備により汚泥の大量処理が可能である。すなわち、２０ｔの汚泥を毎日投入し、毎日、発酵処理後の減容後２０ｔ程度の汚泥堆肥化物を処理製造する。つまり、順次作業により、２４時間以内で処理投入量と少なくとも同量相当の有機質汚泥発酵処理を行うものである。処理後の堆肥化汚泥は有価物として取引の対象となり、利益をもたらす。上記した実施形態では密閉室及びこれを含む密閉室装置は８個設けているが、それ以上の個数を設置させてもよい。また、密閉室の４個づつの対向配置に限らず、単に直列状に配置させた構成としても良い。
【００３２】
図６は、上記の処理システム並びに方法により、製造したコンポストの分析結果の一例を示している。
【００３３】
本実施形態の有機質汚泥の処理方法は、有機質汚泥を破砕しつつ微生物を着床させた粉体を混合させる工程と、混合後の有機質汚泥を貯留して切り返し操作で空気を供給する工程と、空気を供給された有機質汚泥を密閉室内に投入静置し加温空気を室内の底部から連続して吹出して有機質汚泥中に注入する工程と、密閉室内の有機質汚泥が微生物発酵し発熱により室内空気部に蒸散させる工程と、室空気部への蒸散とともに密閉室内の気体を吸引して換気させる工程と、吸引された気体を脱臭させる工程と、を含み、該密閉室を複数併設して、順次作業により、２４時間以内で処理投入量と少なくとも同量相当の有機質汚泥発酵処理を行うものである。
【００３４】
このとき、密閉室内の有機質汚泥中への加温空気温度が２５度〜３５度であり、微生物発酵は、有機質汚泥内部温度が６０℃程度に上昇する一次発酵工程と、その後さらに発酵を促進して８５℃程度となる二次発酵工程と、を含むようにすることもできる。
【００３５】
以上説明した本発明の有機質汚泥の処理施設は、上記した実施形態のみに限定されるものではなく、特許請求の範囲に記載した本発明の本質を逸脱しない範囲において、任意の改変を行ってもよい。
【産業上の利用可能性】
【００３６】
本発明の有機質汚泥の処理施設は、下水道汚泥、生活生ごみ、家畜糞尿、食品残渣物、食品生産工場、一般事業所等から排出される有機質廃棄物、その他の有機廃棄物を簡単な設備で有効に大量処理できる。
【図面の簡単な説明】
【００３７】
【図１】本発明の実施形態に係る有機質汚泥の処理施設の全体構成平面説明図である。
【図２】図１の処理施設における密閉室の一部省略拡大平面説明図である。
【図３】図１の有機質汚泥の処理施設の処理施設の拡大縦断面説明図である。
【図４】図１の処理施設による処理方法を示すフローチャート図である。
【図５】図１の処理施設による処理工程の表を示す図である。
【図６】図１の処理施設により製造したコンポストの成分表の図である。
【符号の説明】
【００３８】
１２  破砕混合部
１４  一次貯留部  
１６  発酵処理部
１８  密閉室装置
３２  加温空気注入管
３４  吸引排出部
３６  脱臭部
Ｃｍ１  第１密閉室群、Ｃｍ２  第２密閉室群
１８１〜１９０  密閉室
【図１】
0004415273.tif 000002
【図２】
0004415273.tif 000003
【図３】
0004415273.tif 000004
【図４】
0004415273.tif 000005
【図５】
0004415273.tif 000006
【図６】
0004415273.tif 000007